(57)【要約】【課題】被写体像をＬＣＤ上で認識しやすくするための、ＬＣＤを移動・回動させる機構が単純な撮影装置を提供する。【解決手段】撮影レンズを経由して入力してきた被写体像を撮像素子で捉えて画像信号を生成する本体ユニットと、該本体ユニットで生成された画像信号に基づく画像を表示する画像表示ユニットとを備えた撮影装置において、画像表示ユニットを、本体ユニットの所定の収納面に沿ってその本体ユニットに重なった収納位置とその本体ユニットから突出した使用位置との間で所定のスライド方向にスライドさせるスライド機構と、使用位置にスライドした状態の画像表示ユニットをスライド方向と平行な回動軸のまわりに回動させる回動機構とを備える。【選択図】        図４
2006135765.tif 000002
【特許請求の範囲】
【請求項１】
撮影レンズを経由して入力してきた被写体像を撮像素子で捉えて画像信号を生成する本体ユニットと、該本体ユニットで生成された画像信号に基づく画像を表示する画像表示ユニットとを備えた撮影装置において、
前記画像表示ユニットを、前記本体ユニットの所定の収納面に沿って該本体ユニットに重なった収納位置と該本体ユニットから突出した使用位置との間で所定のスライド方向にスライドさせるスライド機構と、
前記使用位置にスライドした状態の画像表示ユニットを前記スライド方向と平行な回動軸のまわりに回動させる回動機構とを有することを特徴とする撮影装置。
【請求項２】
前記スライド機構が、前記本体ユニットの前記収納面に設けられた前記スライド方向に延びるレールと、前記レールに嵌入し該レールにスライド自在なレール嵌合部とを有するものであることを特徴とする請求項１記載の撮影装置。
【請求項３】
前記スライド機構が、前記スライド方向に延びるガイド棒を備え、前記画像表示ユニットが前記ガイド棒にスライド自在に支持されたものであることを特徴とする請求項１記載の撮影装置。
【請求項４】
前記本体ユニットに設けられた、前記スライド方向に延びる第１の電気接点と、
前記画像表示ユニットがスライドするに際し前記第１の電気接点に接触した状態を保持しながらスライドする第２の電気接点とを備え、
前記本体ユニットが、前記第１の電気接点および前記第２の電気接点を経由し前記画像表示ユニットに画像信号を伝達するものであることを特徴とする請求項１記載の撮影装置。
【発明の詳細な説明】
【技術分野】
【０００１】
本発明は、画像信号を生成する本体ユニットと、画像を表示する画像表示ユニットとを備えた撮影装置に関する。
【背景技術】
【０００２】
近年、デジタルカメラを中心とする撮影装置や、この撮影装置を構成する様々な素子に関する技術が急速に発展してきている。この撮影装置の多くは、画像を表示するための液晶表示パネル（ＬＣＤ）などの表示画面を備え、ユーザは撮影時に被写体像をこの表示画面上で確認できる。こうした撮影装置の中には、さらに撮影装置本体から表示画面を移動・回動できる機構を備え、撮影方向であるレンズ方向を上方あるいは下方に向けて行われる撮影、いわゆるローアングル撮影やハイアングル撮影や、レンズ方向を自分に向けて行う、いわゆる自分撮りなど、レンズ方向を変化させて行われる撮影の場合に、こうした機構を利用して被写体像を表示画面上で認識しやすくする工夫が凝らされているものもある（例えば、特許文献１、特許文献２、特許文献３、および特許文献４参照）。
【特許文献１】特開平８−９８０６８号公報
【特許文献２】特開平８−１２５８９０号公報
【特許文献３】特開２００１−３４１８２号公報
【特許文献４】特開２００１−２１８０８７号公報
【発明の開示】
【発明が解決しようとする課題】
【０００３】
しかしながら、特許文献１〜４記載の、表示画面を移動・回動させる機構は、２軸のヒンジ機構を利用しており構造が複雑である。このため、生産性が悪く、さらに衝撃に強く安定した表示画面の性能を維持するためにはコストのかかる材料を用いる必要があり、製造コストが高い。
【０００４】
本発明は、上記事情に鑑み、被写体像を表示画面上で認識しやすくするための、表示画面を移動・回動させる機構が単純な撮影装置を提供することを目的とする。
【課題を解決するための手段】
【０００５】
上記目的を達成するための本発明の撮影装置は、撮影レンズを経由して入力してきた被写体像を撮像素子で捉えて画像信号を生成する本体ユニットと、該本体ユニットで生成された画像信号に基づく画像を表示する画像表示ユニットとを備えた撮影装置において、
上記画像表示ユニットを、上記本体ユニットの所定の収納面に沿って該本体ユニットに重なった収納位置と該本体ユニットから突出した使用位置との間で所定のスライド方向にスライドさせるスライド機構と、
上記使用位置にスライドした状態の画像表示ユニットを上記スライド方向と平行な回動軸のまわりに回動させる回動機構とを有することを特徴とする。
【０００６】
本発明の撮影装置は、画像表示ユニットを収納位置から使用位置までスライドさせ、このスライド方向のまわりに画像表示ユニットを回動させる機構を備えているため、ローアングル撮影、ハイアングル撮影、自分撮りなどレンズ方向を様々な方向に向けて撮影を行う場合や、表示画面を保護するため表示画面を本体ユニットの収納面に向けて収納する場合に、画像表示ユニットを回動させるための機構が、特許文献１〜４記載の従来の撮影装置のような２軸のヒンジ機構を利用した複雑な構造を必要としない。本発明によれば、このように画像表示ユニットを回動させるための機構が単純であるため、本発明の撮影装置は、従来の撮影装置と比べ、生産性を向上させることができるとともに、安定した表示画面の性能を維持するために必要とされる衝撃に強い構造を備えることができる。
【０００７】
また、本発明の撮影装置は、上記スライド機構が、上記本体ユニットの上記収納面に設けられた上記スライド方向に延びるレールと、上記レールに嵌入し該レールにスライド自在なレール嵌合部とを有するものであってもよい。
【０００８】
画像表示ユニットをスライドさせる機構として、レールとそのレールに嵌め込まれるレール嵌合部とを用いた機構は、単純でありながら衝撃に強い機構であり、このようなスライド機構を備えることによって、本発明の撮影装置は、単純な構成でしかも衝撃に対する耐久性が高い機構を備えることができる。
【０００９】
また、本発明の撮影装置は、上記スライド機構が、上記スライド方向に延びるガイド棒を備え、上記画像表示ユニットが上記ガイド棒にスライド自在に支持されたものであってもよい。
【００１０】
ガイド棒を用いた機構は、画像表示ユニットをスライドさせる機構としてはもっとも単純な機構であり、このような機構を用いることによって、従来の撮影装置と比べて生産性をより一層向上させることができる。
【００１１】
また、本発明の撮影装置は、上記本体ユニットに設けられた、上記スライド方向に延びる第１の電気接点と、
上記画像表示ユニットがスライドするに際し上記第１の電気接点に接触した状態を保持しながらスライドする第２の電気接点とを備え、
上記本体ユニットが、上記第１の電気接点および上記第２の電気接点を経由し上記画像表示ユニットに画像信号を伝達するものであってもよい。
【００１２】
画像表示ユニットを移動・回動させる機構を備えると、本体ユニットから画像表示ユニットに画像信号を伝達させるための機構が複雑になりがちであるが、本発明の撮影装置では、本体ユニット上のスライド方向に延びる第１の電気接点と、第１の電気接点に接触した状態を保持しながらスライドする第２の電気接点とを用いたきわめて簡単な構成で画像信号を伝達させるため、本体ユニットから画像表示ユニットに画像信号を伝達させるための機構が複雑化することを避けることができる。
【発明の効果】
【００１３】
本発明の撮影装置によれば、被写体像を表示画面上で認識しやすくするための、表示画面を移動・回動させる機構を、単純化することができる。
【発明を実施するための最良の形態】
【００１４】
［第一実施形態］
以下、レールを用いたスライド機構により画像表示ユニットを移動させる本発明の撮影装置の一実施形態を第一実施形態として説明する。本実施形態の撮影装置は、表示画面として液晶表示パネル（以下ＬＣＤと呼ぶ）を有する画像表示ユニットを備えたデジタルカメラである。
【００１５】
図１は、本発明の撮影装置の一実施形態であるデジタルカメラを前面斜め上から見た外観斜視図であり、図２は、このデジタルカメラを背面斜め上から見た外観斜視図である。
【００１６】
図１に示すように、このデジタルカメラ１００の前面中央部には、撮影レンズ１０１が備えられている。また、このデジタルカメラ１００の前面上部には、被写体を視認するための光学式ファインダ対物窓１０２、および明るさが足りない撮影環境で用いられる補助光発光部１０３が備えられている。さらに、このデジタルカメラ１００の上面には、スライド式の電源スイッチ１０４およびレリーズスイッチ１５０が備えられている。
また、図２に示すように、このデジタルカメラ１００の背面には、被写体を視認するための光学式ファインダ接眼窓１０６、撮影モードを決定するためのメニュースイッチ１６０、ＬＣＤ１３０の画像表示機能のオンオフを行うための実行／画面切換スイッチ１７０が備えられている。
【００１７】
このデジタルカメラ１００は、大きく分けて撮影に伴う様々な処理が行われる本体ユニット１００１と、画像を表示するＬＣＤ１３０を有する画像表示ユニット１００２との２つのユニットとから構成されている。これら２つのユニットは図１および図２においてデジタルカメラ１００の上面および側面において実線で示されている部分を境界線としており、後述するように画像表示ユニット１００２は、本体ユニット１００１から離れて、このこのデジタルカメラ１００の背面に沿って移動することができ、さらに移動後、この移動方向を回動軸として回動することができる構成となっている。図１および図２では、画像表示ユニット１００２が、本体ユニット１００１の収納面に重なった収納位置に位置している状態が示されている。
【００１８】
図３は、図１および図２に外観斜視図を示したデジタルカメラ内部の概略構成図である。
【００１９】
図３に示すように本実施形態のデジタルカメラ１００はその構成上、大きく分けて撮影光学系１１０と信号処理部１２０とに分かれており、ともに本体ユニット１００１に備えられている。これらに加えて、被写体像を表示するＬＣＤ１３０、およびその撮影した画像データを記録しておくための外部記録媒体１４０が備えられている。また撮影のための処理をデジタルカメラ１００に行なわせる、実行／画面切換スイッチ１７０、撮影モードスイッチ１６０、およびレリーズスイッチ１５０も設けられている。以下では、撮影光学系１１０と信号処理部１２０それぞれの構成について説明する。
【００２０】
まず撮影光学系１１０の構成を、図３を参照して説明する。本実施形態のデジタルカメラ１００では、図３の左方から被写体光が入射し、ズームレンズ１１５およびフォーカスレンズ１１４を経て、シャッタ１１２が開いている場合は、撮像素子としてのＣＣＤ１１１に結像する。本来撮影光学系には複数のレンズが配備されているが、この図３では、焦点距離の変化に係わるレンズをズームレンズ１１５として模式的に示しており、同じくピントの調節に係わるレンズをフォーカスレンズ１１４として模式的に示している。このズームレンズ１１５、フォーカスレンズ１１４はそれぞれ後述する信号処理部１２０からの信号に基づいて移動することが自在な構成になっていて、ズームレンズ１１５、フォーカスレンズ１１４とも信号処理部１２０からの信号に基づいて各位置に配置されるようになっている。このズームレンズ１１５、フォーカスレンズ１１４、およびシャッタ１１２は、ズームモータ１１５ａ、フォーカスモータ１１４ａ、およびシャッタモータ１１２ａによりそれぞれ駆動され移動する。これらズームモータ１１５ａ、フォーカスモータ１１４ａ、およびシャッタモータ１１２ａを作動させる指示は信号処理部１２０中のデジタル信号処理部１２０ｂからモータドライバ１２０ｃを通じて伝達される。
【００２１】
以上が撮影光学系１１０の構成についての説明である。
【００２２】
続いて信号処理部１２０の構成を説明する。撮影光学系でＣＣＤ１１１に結像させた被写体像が画像信号としてアナログ処理（Ａ／Ｄ）部１２０ａに読み出され、このアナログ処理部（Ａ／Ｄ）１２０ａでアナログ信号がデジタル信号に変換されデジタル信号処理部１２０ｂへと供給される。デジタル信号処理部１２０ｂにはシステムコントローラ１２１が配備されており、そのシステムコントローラ１２１内の動作の手順を示したプログラムにしたがってデジタル信号処理部１２０ｂ内の信号処理が行なわれる。このシステムコントローラ１２１と、画像信号処理部１２２、表示用画像処理部１２３、画像圧縮部１２４、メディアコントローラ１２５、ＡＦ／ＡＥ演算部１２６、キーコントローラ１２７、バッファメモリ１２８、内部メモリ１２９との間のデータの受け渡しはバス１２００を介して行なわれ、そのバス１２００を介してデータの受け渡しが行なわれるときのバッファとして内部メモリ１２９が働いている。この内部メモリ１２９に各部の処理プロセスの進行状況に応じて変数となるデータが随時書き込まれて、システムコントローラ１２１、および画像信号処理部１２２、表示用画像処理部１２３、画像圧縮部１２４、メディアコントローラ１２５、ＡＦ／ＡＥ演算部１２６、キーコントローラ１２７の各部では、そのデータを参照することにより適切な処理が行なわれる。つまり、システムコントローラ１２１からの指示がバス１２００を介して上記の各部に伝えられ、各部の処理プロセスが立ち上げられる。そして、その内部メモリ１２９のデータがプロセスの進行状況に応じて書き換えられ、さらにシステムコントローラ１２１側で参照されて上記の各部の動作が管理される。言い換えれば、電源が投入され、システムコントローラ１２１内のプログラムの手順にしたがって各部のプロセスが立ち上げられる。たとえば、レリーズスイッチ１５０、メニュースイッチ１６０、実行／画面切換スイッチ１７０のスイッチが操作されると、その操作されたという情報がキーコントローラ１２７を経由してシステムコントローラ１２１に伝えられ、その操作に応じた処理がシステムコントローラ１２１内のプログラムの手順にしたがって行われる。
【００２３】
以上が信号処理部１２０の構成についての説明である。
【００２４】
続いてＬＣＤ１３０に被写体像がスルー画像としてＬＣＤ１３０に表示される過程と、被写体が撮影が行われて外部記録媒体１４０に記録される過程について説明する。
【００２５】
次に被写体像がスルー画像としてＬＣＤ１３０に表示される過程について説明する。ＣＣＤ１１１から読み出された、被写体像を表す画像信号は、アナログ処理（Ａ／Ｄ）部１２０ａでアナログ信号からデジタル信号に変換され、このデジタル化された画像データがデジタル信号処理部１２０ｂ内のバッファメモリ１２８にいったん蓄えられる。そしてこのデジタル化された画像データに基づき、ＡＦ／ＡＥ演算部１２６が、被写体距離ごとのコントラストの検出や被写体輝度の検出を行う。このコントラストの検出結果に従い、フォーカスモータ１１４ａによってフォーカスレンズ１１４がピント位置に配置されてピント調節が行われ、また被写体輝度の検出の検出結果に従い、ＣＣＤ１１１に与えられる被写体光の光量が適切になるように、不図示の絞りによる絞り量や電子シャッタのシャッタのシャッタ速度によって露出光量の調節が行なわれる。そしてデジタル化された画像データのＲＧＢ信号は、画像信号処理部１２２においてＹＣ信号に変換され、さらに表示用画像処理部１２３において、ＹＣ信号からＲＧＢ信号に変換されてＬＣＤ１３０において画像が表示される。ここでは、このような過程を経て画像表示が例えば３０コマ／秒等のフレームレートで繰り返される。
【００２６】
次に撮影が行われて被写体像が外部記録媒体１４０に記録される過程について説明する。レリーズ操作が行われると、ＣＣＤ１１１から読み出された画像信号は、アナログ処理（Ａ／Ｄ）部１２０ａでアナログ信号からデジタル信号に変換され、このデジタル化された画像データのＲＧＢ信号が画像信号処理部１２２でＹＣ信号に変換される。さらに画像圧縮部１２４でＪＰＥＧ圧縮と呼ばれる圧縮が行なわれて画像データが画像ファイルとなってメディアコントローラ１２５を介して外部記録媒体１４０に記録される。この画像ファイルとして記録された画像データは、表示用画像処理部１２３を通じてＬＣＤ１３０において再生される。
【００２７】
以下では、このデジタルカメラ１００において、画像表示ユニット１００２が撮影の際の必要に応じて、図２に示す収納位置からＬＣＤ１３０が使用される使用位置までスライドして移動し、その使用位置で回動する構成について説明する。
【００２８】
図４は、画像表示ユニットが、収納位置からＬＣＤが使用される使用位置までスライドして移動した状態を表す模式図である。
【００２９】
図に示すように、本体ユニット１００１側には、収納面２００に設けられた２本のレール２０１が備えられている。この２本のレール２０１に、画像表示ユニット１００２と共にスライドするレール嵌合部２０２が有する後述の２本の突出部がそれぞれ嵌め込まれることによって、画像表示ユニット１００２が、図において左右方向の矢印Ａで示すようにこの方向にスライドして移動することができる。画像表示ユニット１００２が収納位置に位置している場合、すなわち図２に示す外観図に示す状態にある時は、このレール嵌合部２０２は、図４において点線で示す凹部２０３に収納されるため、外部からは視認することができない構成である。さらにこの画像表示ユニット１００２は、図４に示す使用位置にある時は、この図において円弧状の矢印Ｂで示すように、スライド方向を回動軸として回動することができる。
【００３０】
以上説明したような構成を備えることにより、画像表示ユニット１００２の有するＬＣＤ１３０を、このデジタルカメラ１００のユーザの望む方向に向けることができ、ローアングル撮影、ハイアングル撮影、自分撮りなどレンズ方向を様々な方向に向けて撮影を行う場合や、ＬＣＤ１３０を保護するため表示画面を本体ユニット１００１の収納面２００に向けて収納することが可能になる。このように本実施形態のデジタルカメラ１００では、画像表示ユニット１００２を回動させるための機構が、特許文献１〜４記載の従来の撮影装置のような２軸のヒンジ機構を利用した複雑な構造を必要としないきわめて単純な機構である。このため、本発明の撮影装置は、従来の撮影装置と比べ、生産性を向上させることができるとともに、安定したＬＣＤの性能を維持するために必要とされる衝撃に強い構造を備えることができる。
【００３１】
次に、画像表示ユニット１００２がレール２０１から離脱することなくレール２０１上を移動する機構と、その際に本体ユニットから画像表示ユニットに画像信号を伝達させるための構成について説明する。
【００３２】
図５は、レールとレール嵌合部の断面図である。
【００３３】
レール嵌合部２０２に一体化された２本の突出部２０２１がそれぞれ２本のレール２０１に嵌めこまれており、画像表示ユニット１００２は、レール嵌合部２０２と共にレール上を移動することで、レール２０１から離脱することなくレール上をスライドして移動することができる。また、後述するようにこのレール嵌合部２０２は、図において点線で示す回動軸２０２２を備えており、画像表示ユニット１００２は、本体ユニットから突出した使用位置においてこの回動軸を中心として回動することができる。さらに本実施形態のデジタルカメラ１００は、このような移動・回動の機構に対応した、本体ユニットから画像表示ユニットに画像信号を伝達させるための手段として、レール方向に延びる電気接点２０４ａおよび電気接点２０４ｂと、突出部２０２１上に備えられ、電気接点２０４ａおよび電気接点２０４ｂとそれぞれ接触した状態を保持しながらレール嵌合部２０２と共にレール上をスライドする電気接点２０５ａおよび電気接点２０５ｂとを備えている。レール方向に延びる電気接点２０４ａおよび電気接点２０４ｂには、それぞれ信号ケーブル２０６および信号ケーブル２０７の片方の端子が接続され、これら信号ケーブル２０６および信号ケーブル２０７のもう一方の端子は、図５では不図示であるが図３に示した表示用画像処理部１２３にそれぞれ接続されている。また、レール２０１上をスライドする電気接点２０５ａおよび電気接点２０５ｂには、それぞれ信号ケーブル２０８および信号ケーブル２０９の片方の端子が接続され、これら信号ケーブル２０８および信号ケーブル２０９のもう一方の端子は、図５では不図示であるが図３に示したＬＣＤ１３０にそれぞれ接続されている。この際、後述するように、信号ケーブル２０８および信号ケーブル２０９は、レール嵌合部２０２の有する回動軸２０２２の内部を通ってＬＣＤ１３０にそれぞれの端子が接続されている。
【００３４】
次に、画像表示ユニット１００２が回動軸２０２２を中心として回動する機構と、ＬＣＤ１３０に画像信号を伝達させるための構成について説明する。
【００３５】
図５は、画像表示ユニットとレール嵌合部とを、本体ユニットの収納面に平行な断面図において表した図である。
【００３６】
レール嵌合部２０２は、図に示す回動軸２０２２の部分だけが窪んでいる構造をしており、この窪んでいる部分に画像表示ユニット１００２が嵌まり込むことによって、画像表示ユニット１００２が回動軸のまわりに回動はできるがレール嵌合部２０２から離脱することができない構成である。さらにこの回動軸２０２２の内部を通る信号ケーブル２０８および信号ケーブル２０９が備えられており、これら信号ケーブル２０８および信号ケーブル２０９のそれぞれの端子がＬＣＤ１３０と接続され、もう一方の端子が、図６では不図示であるが図５に示す、レール嵌合部２０２と共にレール２０１上をスライドする電気接点２０５ａおよび電気接点２０５ｂそれぞれと接続している。
【００３７】
図５および図６を用いて説明した構成を備えることにより、表示用画像処理部１２３から送られてきた画像信号は、レール方向に延びる電気接点２０４ａおよび電気接点２０４ｂ、レール上をスライドする電気接点２０５ａおよび電気接点２０５ｂを介して、ＬＣＤ１３０に伝達されて表示される。
【００３８】
一般に、画像表示ユニットを移動・回動させる機構を備えると、本体ユニットから画像表示ユニットに画像信号を伝達させるための機構が複雑になりがちであるが、デジタルカメラ１００では、レール上に延びる電気接点と、この電気接点に接触した状態を保持するスライドする電気接点を用いたきわめて簡単な構成で画像信号を伝達させるため、本体ユニットから画像表示ユニットに画像信号を伝達させるための機構が複雑化することを避けることができる。
［第二実施形態］
以下、ガイド棒を用いたスライド機構により画像表示ユニットを移動させる本発明の撮影装置の一実施形態を第二実施形態として説明する。本実施形態の撮影装置は、ＬＣＤを有する画像表示ユニットを備えたデジタルカメラである。このデジタルカメラ３００の外観および内部の構成は、それぞれ図１、図２および図３で示されているデジタルカメラ１００の外観および内部の構成と同じであり、従ってこのデジタルカメラ３００の外観および内部の構成は、図１、図２および図３をそれぞれ参照することとし、このデジタルカメラ３００の外観および内部の構成の図示は省略する。第一実施形態で説明したデジタルカメラ１００と異なる点は、画像表示ユニットを移動させるためのスライド機構および回動させる機構としてガイド棒を用いている点であり、以下ではこの点について説明する。
【００３９】
図７は、ガイド棒を用いたスライド機構を備えたデジタルカメラにおいて、画像表示ユニットが、収納位置からＬＣＤが使用される使用位置までスライドして移動した状態を表す模式図である。
【００４０】
図に示すように、本実施形態のデジタルカメラ３００では、画像表示ユニットを移動させるためのスライド機構としてガイド棒４０１を用いており、画像表示ユニット３００２が、図において左右方向の矢印Ａで示すようにこのガイド棒４０１が延びている方向にスライドして移動することができる。さらにこの画像表示ユニット３００２は、図７に示す使用位置にある時は、この図において円弧状の矢印Ｂで示すように、ガイド棒４０１が延びている方向を回動軸として回動することができる。このような構成を備えることにより、ＬＣＤ１３０を、このデジタルカメラ３００のユーザの望む方向に向けることができ、ローアングル撮影、ハイアングル撮影、自分撮りなど表示画面を様々な方向に向けて撮影を行うことや、表示画面を保護するため表示画面を本体ユニットの収納面４００に向けて収納することが可能になる。このようなガイド棒を用いた機構は、画像表示ユニットをスライドさせる機構としてはもっとも単純な機構であり、このような機構を用いることによって、従来の撮影装置と比べて生産性をより一層向上させることができる。
【００４１】
次に、本体ユニットから画像表示ユニットに画像信号を伝達させるための構成について説明する。
【００４２】
図８は、画像表示ユニットとガイド棒とを、本体ユニットの収納面に平行な断面図において表した図である。
【００４３】
図に示すようにガイド棒４０１は、先端部において、このガイド棒４０１の延びている方向と垂直な平面内に広がった平坦部４０２を備えており、この平坦部４０２の存在によって、このガイド棒４０１が画像表示ユニット３００２から抜け出さない構造になっている。このガイド棒４０１の内部には、このガイド棒４０１に沿って、信号ケーブル４０４および信号ケーブル４０５が延びており、それぞれの信号ケーブルの片方の端子４０４１および端子４０５１は、このデジタルカメラ３００に備えられている、図３に示す表示用画像処理部１２３にそれぞれ接続されている。また信号ケーブル４０４および信号ケーブル４０５のもう片方の端子４０４２および端子４０５２は、図８では不図示であるが図７に示すＬＣＤ１３０に接続されている。また、画像表示ユニット３００２の内部には、凸部４０３が設けられており、この凸部４０３の存在のため、平坦部４０２が、この凸部４０３の位置よりも画像表示ユニット３００２の内部には入り込むことができない。このため、ガイド棒４０１の内部を通り、平坦部４０２から出ている信号ケーブル４０４および信号ケーブル４０５は、平坦部４０２が、最大限に画像表示ユニット３００２の内部には入り込んだ状態、すなわち画像表示ユニット３００２が図７に示す収納面４００に重なる収納位置にある状態でも、平坦部４０２と画像表示ユニット３００２の内壁との間に挟まれてことがなく、断線が生じることを避けることができる。
【００４４】
図７および図８を用いて説明した構成を備えることにより、このデジタルカメラ３００に備えられている、図３に示す表示用画像処理部１２３から送られてきた画像信号は、ガイド棒４０１内部に備えられている信号ケーブル４０４および信号ケーブル４０５を介して、ＬＣＤ１３０に伝達されて表示される。
【図面の簡単な説明】
【００４５】
【図１】第一実施形態のデジタルカメラを背面斜め上から見た外観斜視図である。
【図２】第一実施形態ののデジタルカメラを背面斜め上から見た外観斜視図である。
【図３】図１および図２に外観斜視図を示したデジタルカメラ内部の概略構成図である。
【図４】画像表示ユニットが、収納位置からＬＣＤが使用される使用位置までスライドして移動した状態を表す模式図である。
【図５】レールとレール嵌合部の断面図である。
【図６】画像表示ユニットとレール嵌合部とを、本体ユニットの収納面に平行な断面図において表した図である。
【図７】ガイド棒を用いたスライド機構を備えたデジタルカメラにおいて、画像表示ユニットが、収納位置からＬＣＤが使用される使用位置までスライドして移動した状態を表す模式図である。
【図８】画像表示ユニットとガイド棒とを、本体ユニットの収納面に平行な断面図において表した図である。
【符号の説明】
【００４６】
１００  デジタルカメラ
１００１  本体ユニット
１００２  画像表示ユニット
１０１  撮影レンズ
１０２  光学式ファインダ対物窓
１０３  補助光発光部
１０４  電源スイッチ
１０６  光学式ファインダ接眼窓
１１０  撮影光学系
１１１  ＣＣＤ
１１２  シャッタ
１１２ａ  シャッタモータ
１１４  フォーカスレンズ
１１４ａ  フォーカスモータ
１１５  ズームレンズ
１１５ａ  ズームモータ
１２０  信号処理部
１２０ａ  アナログ処理（Ａ／Ｄ）部
１２０ｂ  デジタル信号処理部
１２０ｃ  モ−タドライバ
１２１  システムコントローラ
１２２  画像信号処理部
１２３  表示用画像処理部
１２４  画像圧縮部
１２５  メディアコントローラ
１２６  ＡＦ／ＡＥ演算部
１２７  キーコントローラ
１２８  バッファメモリ
１２９  内部メモリ
１２００  バス
１３０  ＬＣＤ
１４０  外部記録媒体
１５０  レリーズスイッチ
１６０  メニュースイッチ
１７０  実行／画面切換スイッチ
２００  収納面
２０１  レール
２０２  レール嵌合部
２０３  凹部
２０４ａ、２０４ｂ  電気接点
２０５ａ、２０５ｂ  電気接点
２０６、２０７、２０８、２０９  信号ケーブル
２０２１  突出部
２０２２  回動軸
３００  デジタルカメラ
３００１  本体ユニット
３００２  画像表示ユニット
４００  収納面
４０１  ガイド棒
４０２  平坦部
４０３  凸部
４０４、４０５  信号ケーブル
４０４１、４０４２  端子
４０５１、４０５２  端子
【図１】
2006135765.tif 000003
【図２】
2006135765.tif 000004
【図３】
2006135765.tif 000005
【図４】
2006135765.tif 000006
【図５】
2006135765.tif 000007
【図６】
2006135765.tif 000008
【図７】
2006135765.tif 000009
【図８】
2006135765.tif 000010